(57)【特許請求の範囲】
【請求項１】
ＬＥＤと、当該ＬＥＤからの光を導光させる導光レンズとを備える照明装置であって、
前記導光レンズは、
所定の延在方向に沿って延在するとともに、前記ＬＥＤからの光を当該導光レンズ内に入射させて前記延在方向に導光させる導光部と、
前記導光部の先端から円弧状に屈曲する屈曲部と、
を有し、
前記導光部は、前記屈曲部とは反対の他端側の端部に、前記ＬＥＤからの光を内部に入射させる入射面を有し、
前記入射面は、
前記ＬＥＤからの光を前記延在方向に略沿った平行光としつつ前記導光部内に入射させるとともに、
前記屈曲部の外周側の面のうち、前記延在方向に沿った光が臨界角以上の入射角で入射する全反射領域に、前記平行光を入射させるように、当該全反射領域に対し前記延在方向の前記他端側に位置するように設けられていることを特徴とする照明装置。
【請求項２】
前記ＬＥＤと前記導光レンズの前記導光部との間に設けられるとともに、前記ＬＥＤからの光を前記入射面に向けて集光させる集光レンズを備えることを特徴とする請求項１に記載の照明装置。
【請求項３】
前記導光レンズ及び前記集光レンズは、前記導光部の側面と当該集光レンズの側面とが連結部で連結されるとともに、一体成形されていることを特徴とする請求項２に記載の照明装置。
【請求項４】
前記導光レンズと前記集光レンズとの間に配置された他のレンズを備えることを特徴とする請求項２または３に記載の照明装置。
【請求項５】
前記導光部は、
前記入射面が当該導光部の外側面に設けられるとともに、
前記入射面から内部に入射した光が臨界角以上の入射角で前記屈曲部の外周側の面に入射するように、当該光を全反射させる全反射面を有することを特徴とする請求項１〜４の何れか一項に記載の照明装置。
【請求項６】
前記導光レンズが長尺な棒状の導光棒であることを特徴とする請求項１〜５の何れか一項に記載の照明装置。
【請求項７】
前記導光レンズが、前記屈曲部を介した前記導光部の反対側に光出射部を有することを特徴とする請求項１〜６の何れか一項に記載の照明装置。
【発明の詳細な説明】
【技術分野】
【０００１】
本発明は、屈曲した導光レンズを備える照明装置に関する。
【背景技術】
【０００２】
従来、車両用灯具などの照明装置として、長尺な導光レンズを用いたものが知られている。
一般に、この種の照明装置では、発光ダイオードなどの光源に導光レンズの端面が対向しており、この端面から導光レンズ内に入射した光によって当該導光レンズが発光するようになっている（例えば、特許文献１参照）。
【先行技術文献】
【特許文献】
【０００３】
【特許文献１】特開２０１３−２３５７７５号公報
【発明の概要】
【発明が解決しようとする課題】
【０００４】
ところで、近年の照明装置においては、小型化や多機能化、さらには光源の光出力化等に伴う熱対策の必要性などから、装置内部の部品レイアウトが制限されるようになってきている。そのため、特に光源を好適に配置しようとすると、長尺な導光レンズを光源付近で屈曲せざるを得ない場合がある。
このような場合、屈曲部は光の導光を極力阻害しないように円弧状（コーナー状）に形成されるものの、光源から導光レンズ内に入射した光が制御されていないランダム光であると、そのうちの一部は臨界角未満の角度で屈曲部の外周側の面に入射して導光レンズ外へ漏れてしまう。
また、光源から導光レンズ内に入射した光が、屈曲部までの部分に沿った平行光であったとしても、屈曲部が急峻である場合には、やはり一部の光が臨界角未満の角度で屈曲部の外周側の面に入射して導光レンズ外へ漏れてしまう。
【０００５】
本発明は、上記課題を解決するためになされたもので、導光レンズの屈曲部での光漏れを抑制することができる照明装置の提供を目的とする。
【課題を解決するための手段】
【０００６】
上記目的を達成するために、請求項１に記載の発明は、ＬＥＤと、当該ＬＥＤからの光を導光させる導光レンズとを備える照明装置であって、
前記導光レンズは、
所定の延在方向に沿って延在するとともに、前記ＬＥＤからの光を当該導光レンズ内に入射させて前記延在方向に導光させる導光部と、
前記導光部の先端から円弧状に屈曲する屈曲部と、
を有し、
前記導光部は、前記屈曲部とは反対の他端側の端部に、前記ＬＥＤからの光を内部に入射させる入射面を有し、
前記入射面は、
前記ＬＥＤからの光を前記延在方向に略沿った平行光としつつ前記導光部内に入射させるとともに、
前記屈曲部の外周側の面のうち、前記延在方向に沿った光が臨界角以上の入射角で入射する全反射領域に、前記平行光を入射させるように、当該全反射領域に対し前記延在方向の前記他端側に位置するように設けられていることを特徴とする。
ここで、屈曲部の「外周側の面」とは、屈曲円弧の外側の面のことである。
【０００８】
請求項２に記載の発明は、請求項１に記載の照明装置において、
前記ＬＥＤと前記導光レンズの前記導光部との間に設けられるとともに、前記ＬＥＤからの光を前記入射面に向けて集光させる集光レンズを備えることを特徴とする。
【０００９】
請求項３に記載の発明は、請求項２に記載の照明装置において、
前記導光レンズ及び前記集光レンズは、前記導光部の側面と当該集光レンズの側面とが連結部で連結されるとともに、一体成形されていることを特徴とする。
【００１０】
請求項４に記載の発明は、請求項２または３に記載の照明装置において、
前記導光レンズと前記集光レンズとの間に配置された他のレンズを備えることを特徴とする。
【００１１】
請求項５に記載の発明は、請求項１〜４の何れか一項に記載の照明装置において、
前記導光部は、
前記入射面が当該導光部の外側面に設けられるとともに、
前記入射面から内部に入射した光が臨界角以上の入射角で前記屈曲部の外周側の面に入射するように、当該光を全反射させる全反射面を有することを特徴とする。
【００１２】
請求項６に記載の発明は、請求項１〜５の何れか一項に記載の照明装置において、
前記導光レンズが長尺な棒状の導光棒であることを特徴とする。
【００１３】
請求項７に記載の発明は、請求項１〜６の何れか一項に記載の照明装置において、
前記導光レンズが、前記屈曲部を介した前記導光部の反対側に光出射部を有することを特徴とする。
【発明の効果】
【００１４】
本発明によれば、ＬＥＤから出射した光が、導光レンズの導光部のうち、屈曲部とは反対側の端部に設けられた入射面から内部に入射して当該導光部内を導光した後に、臨界角以上の入射角で屈曲部の外周側の面に入射する。
これにより、導光部内を導光してきた光は、導光レンズ外へ漏れることなく屈曲部の外周側の面で好適に全反射されて、その先へ導光される。
したがって、急峻に屈曲する導光レンズを備えるものであっても、当該屈曲部での光漏れを抑制することができる。
【図面の簡単な説明】
【００１５】
【図１】実施形態における照明装置の斜視図である。
【図２】実施形態における照明装置の縦断面図である。
【図３】実施形態における導光レンズの平面図である。
【図４】シミュレーション結果を示す図であり、（ａ）が従来の照明装置（導光レンズ）での光線軌跡を示す図、（ｂ）が本実施形態の照明装置での光線軌跡を示す図である。
【図５】実施形態における照明装置の変形例１を説明するための図である。
【図６】実施形態における照明装置の変形例２を説明するための図である。
【図７】実施形態における照明装置の変形例３を説明するための図である。
【図８】実施形態における照明装置の変形例４を説明するための図である。
【図９】実施形態における照明装置の変形例５を説明するための図である。
【図１０】実施形態における導光レンズの変形例の断面形状を示す図である。
【発明を実施するための形態】
【００１６】
以下、本発明の実施形態について、図面を参照して説明する。
図１は、本実施形態における照明装置１の要部の斜視図であり、図２は、照明装置１の縦断面図（後述のＹ方向と直交する断面図）であり、図３は、照明装置１が備える導光レンズ４を後述のＺ方向に沿って見た平面図である。
【００１７】
図１及び図２に示すように、照明装置１は、光源であるＬＥＤ（発光ダイオード）２と、ＬＥＤ２からの光を集光させる集光レンズ３と、集光レンズ３で集光された光によって発光する導光レンズ４とを備えている。
このうち、ＬＥＤ２は、光軸Ａｘを図中の矢印Ｚに沿った方向（以下、「Ｚ方向」という。）に向けた状態に配置されており、光軸Ａｘを中心とする略放射状にＺ方向へ光を出射させる。
【００１８】
集光レンズ３は、ＬＥＤ２のものと一致する光軸Ａｘを有しており、当該光軸Ａｘを対称軸とする軸対称形状に形成されてＬＥＤ２のＺ方向に配置され、当該ＬＥＤ２から出射された光を導光レンズ４に向けて集光させる。
【００１９】
集光レンズ３のうち、Ｚ方向後側の半部は、ＬＥＤ２から出射した光を当該集光レンズ３内に入射させる入光部３１となっている。この入光部３１は、光軸Ａｘを回転対称軸としてＺ方向後側へ突出する形状に形成されており、その先端には、Ｚ方向後側へ開口する開口部３１ａが設けられている。
開口部３１ａの底部には、Ｚ方向後側へ膨出する凸面状（非球面）の第一入射面３１１が、光軸Ａｘを回転対称軸としてＬＥＤ２と対向する位置に設けられている。この第一入射面３１１は、その焦点付近にＬＥＤ２が位置するように設けられており、ＬＥＤ２から出射した光のうち当該第一入射面３１１に入射したものを、光軸Ａｘに略沿った平行光としつつ入光部３１内に入射させる。
開口部３１ａの内周面は、第二入射面３１２となっている。この第二入射面３１２は、第一入射面３１１の周縁部からＺ方向後側へ広がりつつ立設された面であり、ＬＥＤ２から出射した光のうち第一入射面３１１よりも側方へ向かうものを入光部３１内に入射させる。
入光部３１の外周面は、反射面３１３となっている。この反射面３１３は、第二入射面３１２の先端からＺ方向前側に向かって外側（光軸Ａｘから遠い側）へ広がるように湾曲した面であり、第二入射面３１２から入光部３１内に入射した光を、光軸Ａｘに略沿うように内部反射（全反射）させる。
このような構成により、入光部３１は、ＬＥＤ２から出射した光を、光軸Ａｘ（Ｚ方向）に略沿った平行光としつつ集光レンズ３内に入射させる。
【００２０】
集光レンズ３のＺ方向前側の面は、当該集光レンズ３内から光を出射させる出射面３２となっている。この出射面３２は、Ｚ方向前側へ膨出する凸面状に形成されており、そのＺ方向前側の光軸Ａｘ上に位置する焦点（後側焦点）Ｆ1を有している。そのため、出射面３２は、入光部３１から光軸Ａｘに略沿って集光レンズ３内を導光してきた光を、焦点Ｆ1に集光させつつＺ方向に出射させる。
【００２１】
導光レンズ４は、集光レンズ３よりも小さい直径を有する円形断面の長尺な導光棒であり、集光レンズ３からの光をその長手方向に沿って導光させつつ後述の光出射部４４より出射させるものである。
具体的に、導光レンズ４は、Ｚ方向へ延在する第一導光部４１と、所定の角度（本実施形態では９０°）で屈曲する屈曲部４２と、Ｚ方向と直交する図中の矢印Ｘに沿った方向（以下、「Ｘ方向」という。）へ延在する第二導光部４３と、光出射部４４とが、集光レンズ３側からこの順に連なって構成されている。
【００２２】
このうち、第一導光部４１は、集光レンズ３のＺ方向に配置されている。より詳しくは、第一導光部４１は、図２及び図３に示すように、その中心軸が、Ｘ方向及びＺ方向のいずれとも直交する図中の矢印Ｙに沿った方向（以下、「Ｙ方向」という。）の位置を光軸Ａｘと一致させるとともに、光軸ＡｘよりもややＸ方向前側に位置するように配置されている。
【００２３】
第一導光部４１のうち、Ｚ方向後側の後端面４１１は、Ｚ方向と直交する平面状に形成されており、集光レンズ３からの光を入射させる入射面４１２を有している。
入射面４１２は、光軸Ａｘを回転対称軸としてＺ方向後側へ膨出する凸面状に形成されており、出射面３２の焦点Ｆ1と略一致する位置に焦点（前側焦点）Ｆ2を有している。また、入射面４１２の焦点距離は、集光レンズ３（出射面３２）のものよりも短くなっている。そして、入射面４１２は、集光レンズ３から焦点Ｆ1に集光させるようにＺ方向前側に出射した光を、Ｚ方向に略沿った平行光としつつ第一導光部４１（導光レンズ４）内に入射させる。
【００２４】
また、入射面４１２は、第一導光部４１の後端面４１１のうち、第一導光部４１の中心軸よりもＸ方向後側の部分に設けられている。より詳しくは、入射面４１２は、当該入射面４１２を通じて第一導光部４１内に入射した光（Ｚ方向に沿った平行光）が、当該第一導光部４１のＺ方向前端に連なる屈曲部４２の外周側の面（屈曲円弧の外側の面）に臨界角θｃ以上の入射角で入射するように、第一導光部４１の後端面４１１のうち、屈曲部４２の屈曲方向とは反対側（つまり、Ｘ方向後側）の部分に設けられている。言い換えれば、入射面４１２は、屈曲部４２の外周側の面のうち、第一導光部４１からの光が臨界角θｃ以上の入射角で入射する全反射領域ＲのＺ方向後側の位置に設けられている。なお、図２では、光軸Ａｘを含みＹ方向と直交する断面での全反射領域Ｒを示している。
本実施形態においては、第一導光部４１内をＺ方向に沿って導光する光のうち、当該第一導光部４１の中心軸よりもややＸ方向後側のものが、臨界角θｃで屈曲部４２の外周側の面に入射する。したがって、屈曲部４２の外周側の面のうち、この臨界角θｃで屈曲部４２の外周側の面に入射する光よりもＸ方向後側に位置する部分が、全反射領域Ｒである。
【００２５】
屈曲部４２は、第一導光部４１のＺ方向前端と第二導光部４３のＸ方向後端とを連結する部分であり、これら部分の断面形状（本実施形態では円形）を保ったまま、９０°の屈曲角及び所定の曲率半径で円弧状に屈曲している。
なお、屈曲部４２は断面形状を保ちつつ急峻に屈曲していればよく、その屈曲角や曲率半径は本実施形態のものに限定されない。ここで、「急峻」とは、第一導光部４１（断面全域）内をＺ方向に沿って導光してきた光のなかに、屈曲部４２の外周側の面に臨界角未満の入射角で入射して導光レンズ４外へ漏れてしまう光が存在するような屈曲程度をいう。なお、このような光漏れが生じる屈曲程度は、導光レンズ４の屈折率や入射光の波長に依存する。
【００２６】
光出射部４４は、第二導光部４３のＸ方向前端に連なっており、第二導光部４３と同様にＸ方向に沿って延在している。この光出射部４４は、当該光出射部４４の長手方向に沿って並設された複数のレンズカット４４１，…をＺ方向後側の面に有している。そのため、光出射部４４では、第二導光部４３から当該光出射部４４内に導光してきた光が複数のレンズカット４４１，…で内部反射されてＺ方向前側の面から出射する。
【００２７】
以上の構成を具備する照明装置１では、ＬＥＤ２からＺ方向に出射した光が、集光レンズ３によって光軸Ａｘ上の焦点Ｆ1に集光される。
この光は、導光レンズ４のうち、集光レンズ３の焦点Ｆ1と略同位置の焦点Ｆ2を有する第一導光部４１の入射面４１２を通じて、Ｚ方向に沿った平行光とされつつ第一導光部４１内に入射する。
【００２８】
第一導光部４１内に入射した光は、当該第一導光部４１内をＺ方向に沿って導光した後に、屈曲部４２の外周側の面で内部反射（全反射）され、第二導光部４３内に入射する。
このとき、第一導光部４１の入射面４１２が、屈曲部４２の外周側の面のうちの全反射領域ＲのＺ方向後側の位置に設けられているため、第一導光部４１からの平行光は臨界角θｃ以上の入射角で屈曲部４２の外周側の面に入射し、導光レンズ４外へ漏れることなく当該面で全反射される。
【００２９】
屈曲部４２で内部反射されて第二導光部４３内に入射した光は、当該第二導光部４３をランダム光として導光した後に光出射部４４に入射する。そして、この光は、光出射部４４内で複数のレンズカット４４１，…によって内部反射されて、当該レンズカット４４１とは反対側のＺ方向前側へ出射する。
【００３０】
ここで、上述した屈曲部４２での光漏れの抑制効果について、シミュレーション結果を示して説明する。
このシミュレーションでは、光線追跡ソフトを使用して照明装置１の３Ｄモデルでの光線軌跡を解析した。集光レンズ３及び導光レンズ４はアクリル樹脂（ＰＭＭＡ）製とし、屈曲部４２の外周側の面は曲率半径が１０ｍｍのものとした。ＬＥＤ２は白色ＬＥＤで、積分球での実測データを用いた。
また同時に、従来の照明装置（導光レンズ）での光線軌跡も比較対象として解析した。この解析では、入射面４１２が無い点以外を本実施形態の導光レンズ４と同様に構成した導光レンズに対し、平行光ではなくランダム光を入射させた場合の光線軌跡を求めた。
【００３１】
図４は、このシミュレーション結果を示す図であり、このうち（ａ）が従来の照明装置（導光レンズ）での光線軌跡を示す図、（ｂ）が本実施形態の照明装置１での光線軌跡を示す図である。なお、図４ではＬＥＤ２（光源）の図示を省略している。
図４（ａ）に示すように、導光レンズに対してランダム光を入射させた場合には、この光が導光レンズ内の断面全域を縦横無尽に導光する。そのため、屈曲部の外周側の面に対して臨界角未満の入射角で入射する光が当然の如く存在し、この光は屈曲部の外周側の面で全反射されることなく導光レンズ外へ漏れてしまう。
一方、本実施形態の照明装置１では、図４（ｂ）に示すように、入射面４１２から導光レンズ４の第一導光部４１内に入射した平行光が、当該第一導光部４１内の断面全域でなく一部のみを導光して臨界角θｃ以上の入射角で屈曲部４２の外周側の面に入射するため、この平行光が導光レンズ４外へ漏れることなく当該面で好適に全反射されている。
【００３２】
なお、屈曲部４２の外周側の面が、Ｘ方向及びＺ方向の各方向に対して４５°で傾斜した平面状に形成されている場合にも、光漏れなく当該面で光を全反射させることはできる。しかし、この場合には、全反射後の光が平行光のままとなるため、光出射部４４のレンズカット４４１に好適に光を当てることができず、光出射部４４から好適に光が出射しなかったり出射光にムラを生じたりしてしまう。
【００３３】
以上のように、本実施形態の照明装置１によれば、ＬＥＤ２から出射した光が、導光レンズ４の第一導光部４１のうち、Ｚ方向後側の端部に設けられた入射面４１２から内部に入射して当該第一導光部４１内を導光した後に、臨界角θｃ以上の入射角で屈曲部４２の外周側の面に入射する。
これにより、第一導光部４１内を導光してきた光は、導光レンズ４外へ漏れることなく屈曲部４２の外周側の面で好適に全反射されて、その先の第二導光部４３へ導光される。
したがって、急峻に屈曲する導光レンズ４を備えるものであっても、当該屈曲部４２での光漏れを抑制することができる。
【００３４】
また、第一導光部４１の入射面４１２が、集光レンズ３（ＬＥＤ２）からの光を当該第一導光部４１の延在方向（Ｚ方向）に沿った平行光としつつ内部に入射させるので、従来のようにランダム光として入射させる場合に比べ、当該第一導光部４１内での光路長を短くすることができる。
これにより、導光レンズ４による光の短波長成分の吸収量を低減させることができ、特に白色光のような広い波長域にパワーを有するものに顕著であった、光の色変化を抑制することができる。
【００３５】
また、ＬＥＤ２から出射した光を集光レンズ３によって導光レンズ４の入射面４１２へ集光させるので、小さな断面形状の導光レンズ４に対しても効率良く光を入射させて光利用効率を向上させることができる。
なお、小さな導光部（出光部）に対して大きな入光部からの光を好適に導く技術としては、例えば特開２０１４−８６３３３号公報に記載のように、入光部から出光部に向かってテーパー状に狭窄する構造を用いるものがある。しかし、この構造では、入光部と出光部とのサイズ比に応じたテーパー長が必要となり、レンズが大型化しやすい。この点、本実施形態の照明装置１では、集光レンズ３と導光レンズ４との焦点位置・距離の調整等によって、このような大型化を回避することができる。
【００３６】
［変形例］
続いて、上記実施形態の変形例について説明する。
【００３７】
＜変形例１＞
導光レンズ４では、入射面４１２からの光が臨界角θｃ以上の入射角で屈曲部４２の外周側の面に入射すればよく、当該光は屈曲部４２の外周側の面に直接入射しなくともよい。
例えば図５に示すように、入射面４１２から導光レンズ４内に入射した光が、全反射面を介して屈曲部４２の外周側の面に入射するように構成してもよい。具体的には、入射面４１２を第一導光部４１の外側面に設けるとともに、入射面４１２に対向するようにＬＥＤ２及び集光レンズ３を配置し、この入射面４１２から導光レンズ４内に入射した平行光が第一導光部４１の後端面４１１を介して屈曲部４２の全反射領域Ｒに入射するように、当該後端面４１１を所定の角度で傾斜した平面状の全反射面とすればよい。
このように構成すれば、ＬＥＤ２や集光レンズ３のレイアウトの自由度を向上させることができる。
【００３８】
＜変形例２＞
導光レンズ４では、入射面４１２からの光が臨界角θｃ以上の入射角で屈曲部４２の外周側の面に入射するように制御されていれば、当該光は平行光でなくともよい。
例えば図６に示すように、屈曲部４２の外周側の面のうちＸ方向後側の部分に、やや狭窄した光束が入射するように、Ｘ方向前側にやや傾斜させた後端面４１１上に入射面４１２を形成してもよい。この場合、図示は省略するが、傾斜させた入射面４１２の向きに合わせてＬＥＤ２や集光レンズ３の配置を変更する必要があることは勿論である。
また、このような狭窄した光束が、上記変形例１のように、全反射面を介して屈曲部４２の外周側の面に入射するように構成してもよい。
【００３９】
＜変形例３＞
集光レンズ３と導光レンズ４とは、図７に示すように、例えば集光レンズ３の外周面と第一導光部４１端部の外周面とを連結部５で繋ぐなどして、一体的に構成（一体成形）されるようにしてもよい。
このように構成すれば、集光レンズ３と導光レンズ４とを製造段階で高精度に位置決めすることができる。
また、従来のように導光レンズ４にランダム光が入射する場合には、この入射光の一部が連結部５内へ導光してロスとなってしまうが、照明装置１では平行光のように制御された光が導光レンズ４内に入射するため、このようなおそれがない。
【００４０】
＜変形例４＞
集光レンズ３と導光レンズ４との間には、他の光学系が設けられていてもよい。例えば図８に示すように、集光レンズ３と導光レンズ４との間に、収差を補正するダブレットなどのレンズ（またはレンズ群）６が設けられていてもよい。
【００４１】
＜変形例５＞
集光レンズ３の焦点Ｆ1と導光レンズ４の入射面４１２の焦点Ｆ2とは、互いの位置が略一致していなくともよい。例えば図９に示すように、集光レンズ３の焦点Ｆ1と入射面４１２の焦点Ｆ2とをＺ方向に離間させ、これら焦点Ｆ1，Ｆ2の間に、前側焦点及び後側焦点が当該焦点Ｆ1，Ｆ2と一致するレンズ７を設けてもよい。
【００４２】
＜他の変形例＞
なお、本発明を適用可能な実施形態は、上述した実施形態及びその変形例に限定されることなく、本発明の趣旨を逸脱しない範囲で適宜変更可能である。
【００４３】
例えば、上記実施形態では、導光レンズ４が円形断面のものであることとしたが、この導光レンズ４の断面形状は円形に限定されず、例えば多角形状などであってもよいし、図１０（ａ）〜（ｃ）に示すような円形と多角形との複合的な形状であってもよい。また、入射面４１２も断面形状は特に限定されない。したがって、例えば図１０（ｄ）に示すように、互いに異なる多角形状断面の導光レンズ４と入射面４１２とが組み合わせられていてもよい。
【００４４】
また、集光レンズ３の第一入射面３１１，第二入射面３１２及び出射面３２や、導光レンズ４の入射面４１２には、ＡＲ（Anti-Reflection）コートやＬＲ（Low Reflection）コートなどの反射防止膜が形成されていてもよい。これにより、当該面での光のロスを低減させることができる。
【００４５】
また、導光レンズ４の入射面４１２は、ＬＥＤ２からの光を導光レンズ４内に直接入射させるように構成されていてもよい。これにより、集光レンズ３を省いて簡便な部品構成とすることができる。
【００４６】
また、導光レンズ４は、急峻な屈曲部を介して光を導光させる長尺なものであれば棒状の導光棒でなくともよく、板状の導光板であってもよい。
また、導光レンズ４は、光出射部４４を有していなくともよく、光出射部を有する他の導光体に向けて光を導光させるものであってもよい。
【符号の説明】
【００４７】
１        照明装置
２        ＬＥＤ
３        集光レンズ
３２    出射面
Ｆ1   焦点
４        導光レンズ
４１    第一導光部（導光部）
４１１  後端面
４１２  入射面
Ｆ2  焦点
４２    屈曲部
４３    第二導光部
４４    光出射部
４４１  レンズカット
５        連結部
６        レンズ
７        レンズ
Ａｘ      光軸
Ｒ        全反射領域
θｃ      臨界角
【図１】
0006490432.tif 000002
【図２】
0006490432.tif 000003
【図３】
0006490432.tif 000004
【図４】
0006490432.tif 000005
【図５】
0006490432.tif 000006
【図６】
0006490432.tif 000007
【図７】
0006490432.tif 000008
【図８】
0006490432.tif 000009
【図９】
0006490432.tif 000010
【図１０】
0006490432.tif 000011